(57)【要約】【課題】レンチキュラーレンズシートのストライプ状遮光パターンの形成において、レンチキュラーレンズシートをロール状で連続して低コストで生産性よく処理し、しかも稼働率の非常に高い露光装置を提供する。【解決手段】入光側に複数のレンチキュラーレンズが設けられ出光側に感光性樹脂層が形成されたレンチキュラーレンズシートに対して、前記感光性樹脂層を露光することにより遮光パターンを形成する露光装置であって、前記レンチキュラーレンズシートは一定速度で搬送され、前記レンチキュラーレンズの長手方向は搬送方向と平行に設けられ、前記レンチキュラーレンズ側に直管型光源が搬送方向に略直交して設けられており、かつ前記光源の前記レンチキュラーレンズ側に該光源の長軸方向に略直交して複数のルーバ片を有するルーバが設けられており、前記ルーバ片が前記レンチキュラーレンズシートに対して垂直であることを特徴とする。【選択図】  図１
2005351915.tif 000002
【特許請求の範囲】
【請求項１】
入光側に複数のレンチキュラーレンズが設けられるとともに出光側の表面に感光性樹脂層が形成されたレンチキュラーレンズシートに対して、前記レンチキュラーレンズシートのレンチキュラーレンズ側から露光光線を照射し、前記各レンチキュラーレンズを介して前記感光性樹脂層を露光することにより、前記レンチキュラーレンズの非集光部に遮光パターンを形成するレンチキュラーレンズシートの露光装置であって、
前記レンチキュラーレンズシートは一定速度で搬送され、前記レンチキュラーレンズの長手方向は前記レンチキュラーレンズシートの搬送方向と平行に設けられ、
前記レンチキュラーレンズ側に直管型光源がレンチキュラーレンズシート搬送方向に略直交して設けられ、かつ前記光源の前記レンチキュラーレンズ側に該光源の長軸方向に略直交して複数のルーバ片を有するルーバが設けられており、前記ルーバ片が前記レンチキュラーレンズシートに対して垂直であることを特徴とするレンチキュラーレンズシートの露光装置。
【請求項２】
前記直管型光源と前記ルーバを設けた前記露光装置が複数並設されていることを特徴とする請求項１に記載のレンチキュラーレンズシートの露光装置。
【請求項３】
前記複数のルーバ片が板形状で等間隔に設けられていることを特徴とする請求項１もしくは２に記載のレンチキュラーレンズシートの露光装置。
【請求項４】
前記複数のルーバ片のピッチ、又は高さ、又はピッチと高さを変えることにより前記露光光線の前記レンチキュラーレンズシートの搬送方向と直交する方向に対するコリメーション角を設定することを特徴とする請求項１〜３のいずれかに記載のレンチキュラーレンズシートの露光装置。
【請求項５】
前記コリメーション角が片側１０度以内であることを特徴とする請求項４に記載のレンチキュラーレンズシートの露光装置。
【請求項６】
前記ルーバ方向がレンチキュラーレンズシート搬送方向に対し交差していることを特徴とする請求項１〜５のいずれかに記載のレンチキュラーレンズシートの露光装置。
【請求項７】
前記ルーバがレンチキュラーレンズシート搬送方向と略直交方向に、相対的に揺動することを特徴とする請求項１〜６のいずれかに記載のレンチキュラーレンズシートの露光装置。
【発明の詳細な説明】
【技術分野】
【０００１】
本発明はプロジェクションＴＶ等の背面投射型プロジェクションシステムの構成部材として使用される透過型スクリーン（プロジェクションスクリーンとも称する）に用いられるレンチキュラーレンズシートに係り、その出光側の表面に設けられるストライプ状遮光パターン形成のための露光装置に関するものである。
【背景技術】
【０００２】
画面サイズの大きいテレビジョンとして、背面より映像を投影して前面より観察する、いわゆるリアプロジェクション型テレビジョンがある。一般のＣＲＴよりも輝度の高い投映用のＣＲＴや、液晶（ＬＣＤ）プロジェクター、もしくはデジタルマイクロミラーデバイス（ＤＭＤ）を使用したＤＬＰプロジェクター等を用いて投映するものである。このリアプロジェクション型テレビジョンにおける映像投映用のスクリーンとしては、代表的には、フレネル凸レンズシートとレンチキュラーレンズシートとを組み合わせたものが使用されている。スクリーン背面からの投映光を、まず、フレネル凸レンズシートで絞って、適度な範囲内に向かう光、例えば平行光とした後、レンチキュラーレンズシートを用いて、水平方向に適度な広がり角度を持たせた出射光として出光させ、所定範囲の水平観察方向より映像が眺められるようになっている。このようなスクリーンを使用することにより、光源から出光される光を、所定の角度範囲で有効に利用することができるので、スクリーンの正面から水平方向にずれた位置で観察しても、明るい映像を眺めることができる。
【０００３】
ところで、ここで使用されるレンチキュラーレンズシートは、一般に、入光側に、断面が円形、楕円等のかまぼこ形状のレンチキュラーレンズが多数並べられた形状を有しており、出光側には、レンチキュラーレンズの焦点近傍以外を覆う、通常、黒色のストライプ状遮光パターン（ブラックストライプとも言う。）が設けられており、外光を吸収して、映像のコントラストを向上させている。
【０００４】
このブラックストライプは、反対側の面のレンチキュラーレンズ形状との正確な位置関係を有している必要があるため、従来、その製造には、種々の方法が検討されてきた。例えば、ブラックストライプを設けるべき部分を凸部（凹部でもよい。）として形成しておき、凸部にのみ、塗装や転写でブラックストライプを形成する方法がある。この方法によるときは、凸部がレンチキュラーレンズとの正確な位置関係を有していれば、格別、注意を払わなくても、ブラックストライプを正確な位置に形成することができる。
【０００５】
しかし、レンチキュラーレンズと凸部とはレンチキュラーレンズシートの互いに反対側の面に存在するので、製造時の金型としては、それぞれの面の形状に合せた二つの金型を準備し、正確に位置合わせする必要がある。また、凸部は、ブラックストライプを設ける際に、それ以外の部分とある程度の段差を有していないと凹部にブラックストライプ形成用の樹脂組成物が付着する。
【０００６】
これらの点は、従来、さほど問題にはならなかったが、近年、ＣＲＴを拡大投映するものに替わって、ＬＣＤプロジェクター、もしくはＤＬＰプロジェクターを用いたリアプロジェクション型テレビジョンが出現し、これらのプロジェクターからの光は画素（ドットマトリックス）によって構成されるため、ＣＲＴを拡大投映する場合に使用するよりもピッチが小さい、ファインピッチのレンチキュラーレンズシートが要求され、一例として、ＣＲＴを拡大投映する場合、ピッチが０．５ｍｍ〜２．０ｍｍであったのに対し、０．０５ｍｍ〜０．３ｍｍのものが使われるようになってきている。レンチキュラーレンズのピッチが小さい、ファインピッチのものが望まれるようになるに連れ、上記の位置合わせが難しくなってきた。また、凸部の段差が大きいと、出射光の光路を妨害する恐れがあるため、ブラックストライプの幅を狭くする必要に迫られ、一方で凸部の段差を小さくすると、凹部にブラックストライプ形成用の樹脂組成物が付着する懸念が生じる。
【０００７】
そこで、このような機械的な手段によらず、レンチキュラーレンズを利用した光学的手段により、ブラックストライプを形成しようとする試みがなされた。この場合、露光光源が平行光でなく、点光源等による発散光であると、レンチキュラーレンズシートの中央部と周辺部とで、レンチキュラーレンズに入射する露光光線の角度が異なり、形成されるブラックストライプの位置も異なってしまい、スクリーンとして用いるのに問題を生じる。
【０００８】
そのため、露光には平行光が求められ、例えば、平行光を用いた露光とするために、レンチキュラーレンズシートの出光側の平坦面に電離放射線硬化型樹脂層を形成し、光源とレンチキュラーレンズシートとをシリンドリカルレンズ（レンチキュラーレンズ）の並んでいる方向に相対移動させながら、シリンドリカルレンズの長手方向に延びた帯状の光線をマスク開口部を通過したスリット光とし、このスリット光による露光を用いたレンチキュラーレンズシートへの遮光パターンの形成方法が提案されている（特許文献１参照。）。
【０００９】
また、シリンドリカルレンズがレンチキュラーレンズシートの搬送方向と平行に並設されていても露光が可能で、たわみの発生を防止した露光装置として、平行光線あるいは擬似平行光線を発する光源を有する光源装置と、光源と一定の角度を保つようにレンチキュラーレンズシートのたわみの発生を抑えて、シートを保持しながら搬送することが可能な固定装置を有するレンチキュラーレンズシートの露光装置が提案されている（特許文献２参照。）。
【特許文献１】特開平９−１２０１０２号公報
【特許文献２】特許第３５１８４１５号
【発明の開示】
【発明が解決しようとする課題】
【００１０】
しかしながら上記した特許文献１に記載のレンチキュラーレンズシートの遮光パターンの形成方法は、光源からの光を相対移動させなければならないので、露光工程の効率が悪くて生産性が劣り、またシリンドリカルレンズはレンチキュラーレンズシートの搬送方向と直交した配置が求められ、製造上制約があるのが問題であった。
また、特許文献２に記載のレンチキュラーレンズシートの露光装置は、周囲に一様な強度分布の平行光線あるいは擬似平行光線を発する光源として、近紫外線水銀灯が例示されている。
しかしながら、近紫外線水銀灯は高価であるため生産コストが高くなる上、光源の寿命が短く、交換にも冷却と交換後の光強度安定化のため予備点灯等、比較的長い時間を要するため稼働率が悪いという問題があった。
【００１１】
そこで、本発明の目的は、上記のような課題を解決し、レンチキュラーレンズシートのストライプ状遮光パターンの形成において、レンチキュラーレンズシートをロール状で連続して低コストで生産性よく処理し、しかも稼働率の非常に高い露光装置を提供することである。
【課題を解決するための手段】
【００１２】
上記課題を解決するため、本発明の請求項１に記載のレンチキュラーレンズシートの露光装置は、入光側に複数のレンチキュラーレンズが設けられるとともに出光側の表面に感光性樹脂層が形成されたレンチキュラーレンズシートに対して、前記レンチキュラーレンズシートのレンチキュラーレンズ側から露光光線を照射し、前記各レンチキュラーレンズを介して前記感光性樹脂層を露光することにより、前記レンチキュラーレンズの非集光部に遮光パターンを形成するレンチキュラーレンズシートの露光装置であって、前記レンチキュラーレンズシートは一定速度で搬送され、前記レンチキュラーレンズの長手方向は前記レンチキュラーレンズシートの搬送方向と平行に設けられ、前記レンチキュラーレンズ側に直管型光源がレンチキュラーレンズシート搬送方向に略直交して設けられ、かつ前記光源の前記レンチキュラーレンズ側に該光源の長軸方向に略直交して複数のルーバ片を有するルーバが設けられており、前記ルーバ片が前記レンチキュラーレンズシートに対して垂直であることを特徴とするものである。
本発明の請求項２に記載のレンチキュラーレンズシートの露光装置は、前記直管型光源と前記ルーバを設けた前記露光装置が複数並設されていることを特徴とするものである。
本発明の請求項３に記載のレンチキュラーレンズシートの露光装置は、前記複数のルーバ片が板形状で等間隔に設けられていることを特徴とするものである。
本発明の請求項４に記載のレンチキュラーレンズシートの露光装置は、前記複数のルーバ片のピッチ、又は高さ、又はピッチと高さを変えることにより前記露光光の前記レンチキュラーレンズシートに対するコリメーション角を設定することを特徴とするものである。
本発明の請求項５に記載のレンチキュラーレンズシートの露光装置は、前記コリメーション角が片側１０度以内であることを特徴とするものである。
本発明の請求項６に記載のレンチキュラーレンズシートの露光装置は、前記ルーバ方向がレンチキュラーレンズシートの搬送方向と交差していることを特徴とするものである。
本発明の請求項７に記載のレンチキュラーレンズシートの露光装置は、前記ルーバがレンチキュラーレンズシートの搬送方向と略直交方向に、相対的に揺動することを特徴とするものである。
【発明の効果】
【００１３】
本発明の露光装置を用いることにより、レンチキュラーレンズシートのストライプ状遮光パターンの形成において、レンチキュラーレンズシートをロール状で連続して、シートの出光側表面に形成した感光性樹脂層を均一性よくパターン露光できる。したがって、装置メンテナンスに要する時間が従来装置に比べて非常に少なく、稼働率の高い装置であり、生産コストの大幅な低減を図ることができる。そして、高性能のレンチキュラーレンズシートを実現することができる。
更に複数の直管型光源と複数のルーバを設けた露光装置を並べて用いることにより、複数本の直管型光源が同時に切れない限り、装置を止めることなく容易に直管型光源の交換が行えるようになる。以上のような特徴を備えることにより、高い生産性と稼働率を実現することができる。
さらにルーバをレンチキュラーレンズシートの搬送方向に斜めに配置、及び、又は搬送する方向と略直交方向に揺動させることにより、光源をレンチキュラーレンズシートに近づけてもルーバ痕の影響を無くすことができ、より照射効率を上げることができる。
【発明を実施するための最良の形態】
【００１４】
本発明の露光装置は、入光側にレンチキュラーレンズが設けられ出光側に感光性樹脂層が形成されたロール・フィルム状、或いは枚葉の大面積のレンチキュラーレンズシートに対して、レンチキュラーレンズシートを搬送しながら、レンチキュラーレンズシートのレンチキュラーレンズ側から露光光を照射し、レンチキュラーレンズを介して感光性樹脂層を露光することのできる構造を有している。そして、本発明の露光装置の基本構成として、レンチキュラーレンズシートに形成された感光性樹脂層が光化学反応を起こす波長成分を含む光を発する長尺の直管型光源をレンチキュラーレンズシート搬送方向に略直交して設け、かつ光源のレンチキュラーレンズ側に光源の長軸方向に略直交して複数のルーバ片をレンチキュラーレンズシート表面に対して垂直に設けたルーバを有する構造を有している。
【００１５】
本発明の露光装置は直管型光源を用い、上記の構造とし、ルーバ片のピッチ、又は高さ、又はピッチと高さを調整してコリメーション角片側１０度以内とすることにより、レンチキュラーレンズシートに対して遮光パターン形成に適した露光光を照射することが可能となる。本発明ではレンチキュラーレンズを設けたレンチキュラーレンズシートの基材について説明しているが、それに限定されず、本発明の露光装置はマイクロレンズアレイ等の微細レンズを設けた他の基材にも使用できるものである。
【００１６】
以下本発明の実施の形態について、図面を参照しながら説明する。
図４は、上記の本発明の露光装置を用いて、レンチキュラーレンズシート１１のレンチキュラーレンズ１１ａの非集光部に遮光パターン１７を形成する工程の一例を示し、レンチキュラーレンズシート搬送方向（紙面に垂直、レンチキュラーレンズの長手方向）から見た工程断面図である。
なお、本発明の露光装置は、入光側に複数のレンチキュラーレンズが設けられるとともに出光側の表面に感光性樹脂層が形成されたレンチキュラーレンズシートに対して、レンチキュラーレンズシートのレンチキュラーレンズ側から露光光線を照射し、各レンチキュラーレンズを介して感光性樹脂層を露光することにより、レンチキュラーレンズの非集光部に遮光パターンを形成するレンチキュラーレンズシートの製造方法であれば、図４に例示する工程に限定されず、他のレンチキュラーレンズシートの製造方法にも適用できるものである。
【００１７】
図４（ａ）は、入光側にレンチキュラーレンズ１１ａを設け、出光側に感光性樹脂層１１ｂを形成したレンチキュラーレンズシート１１であり、レンチキュラーレンズシートの基材は樹脂フィルムであり、透光性を有するものである。透光性の樹脂フィルムとしては、ポリメタクリル酸メチル等のアクリル樹脂、ポリ塩化ビニル樹脂、ポリカーボネート樹脂、ポリスチレン樹脂、ポリエチレンテレフタレート樹脂等の透明性合成樹脂を用いることができ、これらの樹脂を用いて公知の溶融押し出し成形、キャスティング法、プレス成形等によりレンチキュラーレンズ１１ａを設けたレンチキュラーレンズシート１１が成形される。あるいは、上記のフィルム状基材上に紫外線硬化型樹脂を塗布し、スタンパーにてレンズ成型と同時に硬化させてレンチキュラーレンズ１１ａとし、基材との重合接着を行なうことも可能である。紫外線硬化型樹脂としては、例えば、エポキシ、ナイロン、ポリエステル、アクリル、ウレタンアクリレート系等の樹脂が用いられる。
【００１８】
レンチキュラーレンズシート１１の出光側に形成する感光性樹脂層１１ｂに用いられる感光性樹脂としては、遮光パターンの形成方法により異なるものである。例えば、ネガ型感光性樹脂、またはポジ型感光性樹脂を用いて露光、現像し、レンチキュラーレンズシート１１の出光側の表面の未露光領域に黒色インキ等を付着する方法で遮光パターンを形成したり、あるいは紫外線照射前は粘着性を示すが紫外線照射後は非粘着性となる樹脂を用い、未硬化部分に黒色微粉末を付着させる方法等が用いられる。いずれの遮光パターンの形成方法を用いるにしても、レンチキュラーレンズ１１ａの光学的な機能を用いており、感光性樹脂層１１ｂの未露光部に遮光パターンを形成するものである。
【００１９】
図４（ｂ）は、直管型光源１２とルーバ１３を有する本発明の露光装置により、レンチキュラーレンズシート１１のレンチキュラーレンズ１１ａ側から露光光線１６を照射し、前記各レンチキュラーレンズ１１ａを介して前記感光性樹脂層１１ｂを露光している状態を示す工程断面図である。
図４（ｂ）において用いる本発明の露光装置については、詳しく後述する。
【００２０】
図４（ｃ）は、感光性樹脂層１１ｂに用いられる感光性樹脂としてポジ型感光性樹脂を用いた場合を例示しており、露光後、現像することにより露光された部分のポジ型感光性樹脂を除去し、未露光部のポジ型感光性樹脂を凸部として残し、この凸部上に着色インキを塗布して遮光パターンとするものである。
【００２１】
次に、露光装置について説明する。
図１は、本発明の露光装置の概略構成図であり、レンチキュラーレンズシート１１の搬送方向を横から示した概略図である。本露光装置は、入光側にレンチキュラーレンズを設け出光側に感光性樹脂層が形成されたレンチキュラーレンズシート１１を一定の速度で連続的に搬送することのできるレンチキュラーレンズシート１１搬送部の上部に位置し、直管型光源１２と複数のルーバ片１３ａを有するルーバ１３で構成されている。図１では、光源１２、ルーバ１３を２列並列に設けた場合を例示している。さらに、光源２の上部を覆って、反射板１４が設けられている場合を示す。レンチキュラーレンズシート１１搬送部は、回転する直線状ローラー１５が複数本連なった構成となっている。直線状ローラー１５は、レンチキュラーレンズシート１１にたわみ等が生じないように、一定の間隔で設けられている。
図２（ａ）〜（ｃ）は、本発明の露光装置の上面図であり、光源１２は１本だけの場合を例示しており、反射板は取り除いて示してあり、方向１８はルーバの揺動方向を示す。図２（ｂ）、（ｃ）はルーバをレンチキュラーレンズシート１１と交差する方向に配置した図である。
図３は、図２の露光装置をレンチキュラーレンズシート１１の搬送方向側（紙面に垂直）から示す図であり、コリメーション角の説明図である。なおθは両側コリメーション角（全角）をあらわし片側コリメーション角（半角）の２倍になる。
【００２２】
図１、図２、図３に示されるように、本発明の露光装置は、入光側にレンチキュラーレンズ１１ａが設けられ出光側に感光性樹脂層１１ｂが形成されたレンチキュラーレンズシート１１を一定速度で搬送し（図１、図２の矢印が搬送方向）、レンチキュラーレンズ１１ａはレンズの長手方向がレンチキュラーレンズシート１１の搬送方向と平行に設けられており、レンチキュラーレンズ１１ａ側に直管型光源１２がレンチキュラーレンズシート１１搬送方向に略直交して設けられており、かつ光源１２のレンチキュラーレンズ１１ａ側に光源１２の長軸方向に略直交して複数のルーバ片１３ａがレンチキュラーレンズシート１１に対して垂直に設けられているルーバ１３を有するものである。
【００２３】
上記のように、本発明の露光装置は、レンチキュラーレンズシート１１進行方向に略直交している、すなわち直線状ローラー１５と略平行に配置された直管型光源１２、及び複数のルーバ片１３ａを有するルーバ１３により構成されている。直管型光源１２の紫外線の波長成分としては、遮光パターンを形成するために用いる感光性樹脂層１１ｂを感光させる波長範囲の少なくとも一つの波長範囲、もしくは複数の波長範囲を含む光を発する光源であれば用いることができる。直管型光源１２は、例えば、一般に市販されている紫外光成分を含むもので、蛍光灯、殺菌灯、複写用蛍光灯、補虫用蛍光灯、ブラックライトブルー蛍光灯、ネオン管、キセノンランプ、ハロゲンランプ、低圧水銀灯、中圧水銀灯等の直管形状の光源を用いることができ、レンチキュラーレンズシート１１の光源１２と反対側に形成されている感光性樹脂層１１ｂの種類により適宜選択することができる。直管型光源１２の下方にはルーバ１３が設置されており、直管型光源１２より発せられる光を遮光パターン形成に適した光とし、有効にレンチキュラーレンズシート１１表面に照射できる構造となっている。
【００２４】
図１〜図３に示した露光装置の構成では、光源１２の長軸方向の長さはレンチキュラーレンズシート１１の幅（進行方向に垂直）よりも若干長いようにするのが好ましい。光源が直管型光源１２であるため基本的には光源の長さ程度で露光照度の均一性を確保できる。図1においては、直管型光源１２がレンチキュラーレンズシート１１進行方向と略直交して複数本設けられ、かつレンチキュラーレンズシート１１を一定速度で搬送しながらレンチキュラーレンズシート１１表面に露光光を照射する構成となっている。たとえ直管型光源１２間の露光光強度にばらつきがあっても、一定速度で搬送し連続露光している限りレンチキュラーレンズシート１１上の照度は一定となり、ロール・フィルム状の基材、或は大量の枚葉基板に同時に均一性良く露光光を照射できる。一方、本露光装置では、間欠露光は搬送方向で照度の差を生じるため適さない。また、直管型光源１２の光を有効に利用するために、直管型光源１２の上部、側面部には反射板を設けるのが好ましい。
【００２５】
本発明の露光装置においては、図３に示すように、直管型光源１２のレンチキュラーレンズシート１１のレンチキュラーレンズ側に設けられた複数のルーバ片１３ａは板形状をしており、光源１２の長軸方向に略直交し、かつレンチキュラーレンズシート１１に対して垂直に設けられているものである。本発明の露光装置は、ルーバ片１３ａのピッチ、又は高さ、又はピッチと高さを変えることにより、コリメーション角θを設定し、レンチキュラーレンズシート１１への露光光１６が遮光パターン形成に適切になるように調節するものである。本発明では、レンチキュラーレンズに入射する露光光の均一性を高めるため、コリメーション角θは片側コリメーション角（半角）１０度以内とするのが好ましい。コリメーション角θが片側１０度を超えると、遮光パターンのエッジのシャープネスが荒れてくるからである。
ルーバ１３の素材は、アルミニウム、アルミニウム合金、ステンレス等が用いられるが、重量が軽く加工性の良い金属材が好ましい。素材の表面には光吸収の塗装等を行い、設定のコリメーション角以上の光を吸収する。
【００２６】
本発明では、レンチキュラーレンズシートの露光装置として、上記の様な装置構成とすることにより、ロール状の基材を連続で搬送させながら、しかも広い面積で均一な光を照射することができる。すなわち、ルーバを用い、ルーバ片のピッチ、高さを変えることにより直管型光源のコリメーション角を設定し、その角度を片側１０度以内とすることで、遮光パターン形成に適した露光光を基材に照射するものである。また、例え直管型光源１本から照射される光の強度がさほど強くなくても、複数本の直管型光源を並設し、搬送速度、あるいは搬送路の長さを調節することにより、感光性樹脂層を感光させてパターン形成することが十分に可能である。複数本の直管型光源を設けることにより、たとえ複数本の内の１本が切れたとしても、基材に照射する総エネルギーはプロセスマージン内に納めることができるため、装置を止めることなく直管型光源の交換を行なうことが可能となり、しかも高圧水銀灯の様に高温にならないため、速やかに交換作業が行え、高い生産性と稼働率がなし得るものである。
【実施例】
【００２７】
（実施例１）
幅１０００ｍｍ、厚み７５μｍのロール状のポリエチレンテレフタレート樹脂フィルムを用い、一定速度で搬送しながら、樹脂フィルムの片面に紫外線硬化性樹脂組成物をレンチキュラーレンズの逆形状を形成した成型ロールにより塗布し、紫外線ランプで照射して紫外線硬化性樹脂組成物を硬化させて、入光側とする面に、ピッチが１３０μｍ、高さが約４５μｍの複数のレンチキュラーレンズを、レンズの長手方向が樹脂フィルム搬送方向に平行に設けたレンチキュラーレンズシートを形成した。
次に、レンチキュラーレンズを設けていない出光側とする面に、厚みが５μｍのポジ型レジスト用ドライフィルム（東京応化工業（株）製、製品番号；Ｐ−ＲＺ３０）をローラで圧着して積層し感光性樹脂層を形成したレンチキュラーレンズシートとした。
【００２８】
次に、レンチキュラーレンズシートを一定速度で搬送しながら、直管型光源を用いた露光装置によりレンチキュラーレンズシートのレンチキュラーレンズ側から紫外線を照射し、各レンチキュラーレンズを介して感光性樹脂層を露光した。
直管型光源はレンチキュラーレンズシート搬送方向に略直交して３灯をほぼ等間隔で並設し、光源のレンチキュラーレンズ側には光源の長軸方向に略直交して各ルーバの複数のルーバ片がレンチキュラーレンズシートの搬送方向に対して１０度の角度になるように配置した。また、各ルーバ片はレンチキュラーレンズシートの表面に対しては垂直とした。直管型光源は、３６５ｎｍの紫外線を主波長とする長さ１１９８ｍｍの３０Ｗ／ｃｍの直管型水銀灯を用い、ルーバ片としては、アルミニウム合金で１００ｍｍ×３５０ｍｍ×１ｍｍ厚の矩形状の板を複数枚作製し、ルーバ片のピッチを調整してコリメーション角は片側６度となるようにした。直管型蛍光灯の上部にはアルミニウム合金で反射板を設けた。
【００２９】
直管型蛍光灯で露光後、炭酸ナトリウムの１％水溶液に１分間浸漬することにより、露光部を溶解除去し、その後、水洗して乾燥させ、レンチキュラーレンズ層の各々のレンチキュラーレンズの集光部のドライフィルムが除去され、非集光部のドライフィルムが凸部となった中間体を得た。
【００３０】
次に、熱転写シートとして、厚み４．５μｍのポリエチレンテレフタレート樹脂フィルムの背面にシリコーン処理層、前面に、厚みが０．３μｍのワックス層（剥離層）、厚みが０．５μｍのカーボンブラック５０％を含むインキ層（光学透過濃度が２）、および厚みが０．５μｍのポリエステル樹脂層（感熱接着剤層）を順次積層したものを用い、上記の中間体のドライフィルムの凸部に、転写温度９０℃で転写し、遮光パターンを形成し、各入光レンズの集光領域以外の領域に遮光パターンを有するレンチキュラーレンズシートを得た。
本発明の露光装置を用いて露光することにより、高い生産性と稼働率でレンチキュラーレンズシートを製造できた。さらに、このレンチキュラーレンズシートをフレネルレンズシートと組み合わせてリアプロジェクション型ＴＶとしたところ、高画質の画像が得られた。
【００３１】
（実施例２）
軟化温度９８℃のメタクリル−ブタジエン−スチレン共重合樹脂（ＭＢＳ）ペレットを押し出しエンボス成形装置のホッパーに投入し溶融させ、溶融したＭＢＳをに押し出し、型押しを行なった。この時、型ロール温度は８０℃に設定した。その際、引き取り速度は３ｍ／分とした。
この条件により、入光側とする面に、ピッチが１４０μｍの複数のレンチキュラーレンズを、レンズの長手方向がフィルム搬送方向に平行に設けた総厚みが１５０μｍのレンチキュラーレンズシートを形成した。
【００３２】
上記で得られたレンチキュラーレンズシートのレンチキュラーレンズを設けていない出光側とする面に、ラジカル反応開始剤を含む感光性粘着剤を２０μｍの厚みとなるように塗布して感光性樹脂層とした。
【００３３】
次に、上記の感光性樹脂層を形成したレンチキュラーレンズシートを一定速度で搬送しながら、直管型光源を用いた露光装置によりレンチキュラーレンズシートのレンチキュラーレンズ側から紫外線を照射し、各レンチキュラーレンズを介して感光性樹脂層を露光した。
直管型光源はレンチキュラーレンズシート搬送方向に直交して２灯をほぼ等間隔で並設し、各光源のレンチキュラーレンズ側には光源の長軸方向に直交して複数のルーバ片を有する２体のルーバを設け、各ルーバ片はレンチキュラーレンズシート表面に対して垂直であるようにした。直管型光源は、３６５ｎｍの紫外線を主波長とする長さ１１９８ｍｍの３０Ｗ／ｃｍの直管型水銀灯を用い、ルーバ片としては、アルミニウム合金で１００ｍｍ×３５０ｍｍ×１ｍｍ厚の矩形状の板を複数枚作製した。
次に、表１に示すように、ルーバ片のピッチを調整して、コリメーション角を片側コリメーション角４°〜１６°まで角度の異なる露光条件で、レンチキュラーレンズシートを露光した。直管型水銀灯の上部にはアルミニウム合金で反射板を設けた。
【００３４】
直管型水銀灯で露光後、上記の感光性樹脂層はレンチキュラーレンズの集光部のみ感光性粘着剤が硬化して粘着性が消失し、未露光部は粘着性を有した状態で保持されていた。この状態の粘着剤表面に黒色転写材を圧着して、６０℃の転写温度にて２ｋｇ／ｃｍ２の圧力条件で転写操作を行なった後、粘着面から剥離した。これにより、感光性樹脂層の未露光部のみに黒色転写材が付着し、ストライプ状の遮光パターンが形成された。コリメーション角を変えて種々の露光条件で各入光レンズの集光領域以外の領域に遮光パターンを有するレンチキュラーレンズシートを得た。
【００３５】
次いで、上記のコリメーション角を変えたレンチキュラーレンズシートを製品サイズとし、フレネルレンズシートと組み合わせ、ＤＬＰプロジェクターを光源としてリアプロジェクション型ＴＶとし、目視により画質の評価（○×判定）を行なった。その結果を表１に示す。
【００３６】
【表１】
2005351915.tif 000003
【００３７】
表１に示されるように、総合評価として、コリメーション角は片側コリメーション角１０°以内が好ましいことが示された。
上記のように、片側コリメーション角１０°以内とした本発明の露光装置を用いて露光することにより、高画質のレンチキュラーレンズシートを製造できた。
【図面の簡単な説明】
【００３８】
【図１】本発明の露光装置の概略構成図であり、レンチキュラーレンズシート搬送方向を横から示した図である。
【図２】本発明の露光装置の上面図である。
【図３】図２の露光装置をレンチキュラーレンズシートの搬送方向側から示す図であり、コリメーション角の説明図である。
【図４】本発明の露光装置により、レンチキュラーレンズシートのレンチキュラーレンズの非集光部に遮光パターンを形成する工程の一例を示す工程断面図である。
【符号の説明】
【００３９】
１１  レンチキュラーレンズシート
１１ａ  レンチキュラーレンズ
１１ｂ  感光性樹脂層
１２  直管型光源
１３  ルーバ
１３ａ  ルーバ片
１４  反射板
１５  直線状ローラー
１６  露光光線
１７  遮光パターン
１８  ルーバの揺動方向
θ    両側コリメーション角（全角）
【図１】
2005351915.tif 000004
【図２】
2005351915.tif 000005
【図３】
2005351915.tif 000006
【図４】
2005351915.tif 000007